(57)【要約】  【課題】紙葉類の加除に伴う綴じ込み作業を簡易かつ的確に行える新規有用なファイルを提供する。  【解決手段】表表紙１１及び裏表紙１２を互いに分離させて、一方を綴じ元側に開口１１ａを有する袋状のものとするとともに、他方の綴じ元側に前記開口１１ａ内に挿入可能な延出部２１を設け、この延出部２１を開口１１ａ内に挿入した状態で、表表紙１１と裏表紙１２の間に表出する延出部２１を背表紙１３とするものにおいて、両表紙１１、１２の綴じ元側の内側に折り込んだ位置に綴じ片２を形成して、両綴じ片２、２間に紙葉類Ｐを綴じ込むように構成し、延出部２１を設けた側の表紙１２の綴じ片２に綴じ足３を配し、袋状にした側の表紙１１の綴じ片２に、前記綴じ足３の先端側３１を挿し通して折り曲げた状態に係止する綴じ足係止部４を配するようにした。  【選択図】図１
2004262249.tif 000002
【特許請求の範囲】
【請求項１】
表表紙及び裏表紙を互いに分離させて、一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、
両表紙の綴じ元側の内側に折り込んだ位置に綴じ片を形成して、両綴じ片間に紙葉類を綴じ込むように構成し、延出部を設けた側の表紙の綴じ片に綴じ足を配し、袋状にした側の表紙の綴じ片に、前記綴じ足の先端側を挿し通して折り曲げた状態に係止する綴じ足係止部を配するようにしたことを特徴とするファイル。
【請求項２】
延出部が設けられている表紙と当該延出部の基端との境界が常に折り曲げ位置となる請求項１記載のファイル。
【請求項３】
延出部に、開口への挿入方向と直交する方向に複数の襞を設けている請求項１又は２記載のファイル。
【請求項４】
両綴じ片の長手方向へ離間した対応２箇所に綴じ足を挿通するための挿通孔を設けている請求項１〜３記載のファイル。
【発明の詳細な説明】
【技術分野】
【０００１】
本発明は、紙葉類の綴じ込み作業を簡易かつ的確に行えるようにしたファイルに関するものである。
【背景技術】
【０００２】
この種のファイルとして、特許文献１（図４及び図５に示すようなもの）が考えられている。このものは、表表紙１１１及び裏表紙１１２を互いに分離させて、裏表紙１１２を綴じ元側に開口１１２aを有する袋状のものとするとともに、表表紙１１１の綴じ元側に前記開口１１２a内に挿入可能な延出部１２１を設け、この延出部１２１を開口１１２a内に挿入した状態で、表表紙１１１と裏表紙１１２の間に表出する延出部１２１を背表紙１１３とするものである。
【０００３】
このような構成は、延出部１２１の挿入量に応じて背表紙１１３の巾が変化するので、紙葉類Ｐ２の綴じ込み量に応じてファイル全体の厚みを適切に変更することができるという利点を有するものである。
【特許文献１】国際公開第９５／２３０６８号パンフレット
【発明の開示】
【発明が解決しようとする課題】
【０００４】
ところで、この種のファイルは、紙葉類Ｐ２を綴じ込むために綴じ足１０３と綴じ足係止部１０４を配するのが通例であり、そのために図示ファイルは、両表紙１１１、１１２の綴じ元側にその間に紙葉類Ｐ２を挟み込むための綴じ片１０２を折り返して形成し、裏表紙１１２に、基端を係わり合わせて綴じ足１０３を配し、表表紙１１１に、前記綴じ足１０３の先端側を挿し通して折り曲げた状態に係止する綴じ足係止部１０４を配するようにしている。
【０００５】
しかしながら、このようにすると、紙葉類Ｐ２を綴じ足１０３に挿し通して裏表紙１１２上にセットした状態で、この裏表紙１１２を開口１１２aを塞がないように注意しつつ片手で持つか或いは軽く押さえるかしながら、他方の手で開口１１２aに対する表表紙１１１の延出部１２１の送り込み操作を行わなければならない（図６参照）。このため、裏表紙１１２をしっかり持つか押さえるかすると開口１１２aが狭まり抵抗が大きくなって操作が重くなり、抵抗を少なくするように持つか押さえるかすると操作は軽くなるものの紙葉類Ｐ２をセットした裏表紙１１２に対する把持状態が不安定になり、何れにしても作業に難を伴うものとなる。しかも、このものは表表紙１１１側の綴じ片１０２を紙葉類Ｐ２の表面に近づける操作と、そこから偏位した位置において延出部１２１を開口１１２aに呑み込ませる操作とを図示矢印のように連動させて行う必要があり、且つその間に綴じ足１０３を表表紙１１１側の挿通孔１２２に通し、さらに綴じ片１０２が紙葉類Ｐ２に表面に接触した位置で延出部１２１を開口１１２a内に最大限に送り込んで開口縁に沿って図中Ｘで示す部位に折り癖をつけ、そこで綴じ足係止部１０４を操作して綴じ足１０３を折り曲げた状態に係止しなければならない。したがって、上記の連動が上手くできず、背表紙１１３となる延出部１２１の表出量にたるみが生じた場合等には、一旦折り癖を戻した後、同様の操作を繰り返さなければならず、作業の的確性にも問題の残るものである。先に延出部１２１をある程度開口１１２aに呑み込ませておき、綴じ足１０３を大きく湾曲させて綴じ片１０２や綴じ足係止部１０４に挿し通す操作を行うこともできるが、このようにしても、微調整作業が必要な以上、調整のための開口への延出部１２１の送り操作は依然として重いか若しくは不安定であり、綴じ足１０３の動きも窮屈になって挿通孔１２２に挿し通せなくなるなど、作業性の改善を期待できないものである。
【０００６】
本発明は、このような課題に着目してなされたものであって、紙葉類の加除に伴う綴じ込み作業に関し、その作業の便及び的確性を確実に向上させ得る新規有用なファイルを提供しようとするものである。
【課題を解決するための手段】
【０００７】
本発明は、かかる目的を達成するために、表表紙及び裏表紙を互いに分離させて、一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものにおいて、延出部を設けた側の表紙に綴じ足を配し、袋状にした側の表紙に、前記綴じ足の先端側を挿し通して折り曲げた状態に係止する綴じ足係止部を配するようにしたものである。
【０００８】
このような構成においては、紙葉類を綴じ足に挿し通して表紙上にセットした状態で、この表紙を片手で持つか或いは押さえるかしながら、他方の手で袋状の表紙を把持して、その開口内に綴じ足を配した側の表紙の延出部を呑み込ませる操作を行うこととなる。このため、綴じ足側の表紙をしっかり把持或いは押さえても開口を狭めることはなく、袋状の表紙側は紙葉類の付帯しない状態になるため開口が潰れるほど強く把持する必要もなくなる。しかも、このものは延出部が設けられている表紙と当該延出部の基端との境界が常に折り曲げ位置となり、予めこの部位に折り癖をつけて延出部を起立させておくことができるため、折り癖をつけ直す必要がないばかりか、開口が紙葉類の表面近くに位置するまでその内部に延出部を呑み込ませれば、その位置が綴じ足係止部による綴じ足の係止位置となり、背表紙となる延出部の表出量も同時に定まる。このため、延出部がたるむ不具合等も防止でき、１回の操作で的確に綴じ込み作業を完了することができる。
【０００９】
なお、ここに言う「紙葉類」は、紙だけではなく、クリアーファイル等を含む概念である。
【００１０】
加えて、本発明は、両表紙の綴じ元側の内側に折り込んだ位置に綴じ片を形成し、両綴じ片間に紙葉類を綴じ込むように構成して、延出部を設けた側の表紙の綴じ片に綴じ足を配し、袋状にした側の表紙の綴じ片に綴じ足係止部を配するようにしたものである。
【００１１】
このようにすれば、袋状をなす表紙の開口に、綴じ足が設けられた側の表紙に付帯する延出部を呑み込ませていく操作は、同時に開口付近に存する綴じ片を紙葉類の表面に接近させる操作となり、その間に綴じ足が自ずと袋状の表紙の綴じ片や綴じ足係止部に挿通されるため、綴じ片が紙葉類に衝き当たった位置は概ね延出部の開口への最大呑み込み量となり、その位置で綴じ足係止部により紙葉類を止めると、背表紙となる延出部の表出量も的確に定まるものとなる。
【００１２】
具体的な実施の態様としては、延出部が設けられている表紙と当該延出部の基端との境界が常に折り曲げ位置となるもの、延出部に、開口への挿入方向と直交する方向に複数の襞を設けているもの、両綴じ片の長手方向へ離間した対応２箇所に綴じ足を挿通するための挿通孔を設けているものが挙げられる。
【発明の効果】
【００１３】
本発明は、以上に詳述した構成であるから、紙葉類の加除に伴う綴じ込み作業に関し、その作業の便及び的確性を確実に向上させた新規有用なファイルを提供することができる。
【発明を実施するための最良の形態】
【００１４】
以下、本発明の一実施形態について、図１〜図３を参照して説明する。
【００１５】
この実施形態のファイルは、図１及び図２に示すように、表表紙１１、裏表紙１２及び背表紙１３からなる表紙体１と、紙葉類Ｐをその間に綴じ込むために前記表紙体１に設けた一対の綴じ片２と、基端３１が一方の綴じ片２に支持され先端側３２が他方の綴じ片２に挿し通される綴じ足３と、この綴じ足３の先端側３２を引き続きその一部に挿し通すとともに当該挿通部において綴じ足３を折り曲げた状態に係止する綴じ足係止部４とを具備してなる。
【００１６】
一方の綴じ片２は、表紙体１を構成する裏表紙１２の綴じ元側の縁部内面より内側に折り込んだ位置に形成され、他方の綴じ片２は、表紙体１を構成する表表紙１１の綴じ元側の縁部内面より内側に折り込んだ位置に形成されている。この実施形態では、表表紙１１を綴じ元側に開口１１a を有するものとするとともに他の３辺が閉じられた袋状をなすものにし、裏表紙１２は前記綴じ片２に引き続き綴じ元側の縁部に連続する位置に前記表表紙１１の開口１１a内に挿入可能であって挿入方向と直交する方向に複数の襞を有した延出部２１を形成している。両綴じ片２は、裏表紙１２の延出部２１を表表紙１１の開口１１a内に挿入した状態で、その挿入量に応じてその間に所要量の紙葉類Ｐを挟み込める距離を保って対面配置されるものであり、表表紙１１と裏表紙１２の間に表出する延出部２１が背表紙１３としての役割を果たす。そして、各々の長手方向へ離間した対応2箇所に綴じ足３を挿通するための挿通孔２２を設けている。
【００１７】
綴じ足３は、樹脂等により成形されたもので、基端部３１は前記挿通孔２２よりも拡開し、先端部３２に長手方向に沿って所定ピッチで線状のリブ３３を有している。そして、裏表紙１２の綴じ片２に設けた挿通孔２２に裏表紙１２側からこの綴じ足３の先端側３２を挿通して、基端部３１側を綴じ片２に支持させ得るようにしている。
【００１８】
綴じ足係止部４は、前記表表紙１１の綴じ元側の縁部近傍に固定して設けたもので、表表紙１１の挿通孔２２に対応する位置に綴じ足引出開口を有し、スライド操作によって綴じ足引出し開口を開閉して選択的に綴じ足３を係止する操作摘みを備えている（図示省略）。
【００１９】
しかして、このファイルは、延出部２１を設けた側の表紙１２に、基端３１を係わり合わせて綴じ足３を配し、袋状にした側の表紙１１に、前記綴じ足３の先端側３２を挿し通して折り曲げた状態に係止する綴じ足係止部４を配しており、紙葉類Ｐを綴じ足３に挿し通して表紙１２上にセットした状態で、この表紙１２を片手で持つか或いは押さえるかしながら、他方の手で袋状の表紙１１を把持し、その開口１１a内に相手方の表紙１２の延出部２１を呑み込ませる操作を行うこととなる。このため、紙葉類Ｐが付帯する側の表紙１２をしっかり把持或いは押さえても開口１１aを狭めることはなく、袋状の表紙１１側は紙葉類Ｐの付帯しない状態にあるため開口１１aが潰れるほど強く把持する必要もなくなる。しかも、このものは図３に示すように、延出部２１が設けられている表紙１２と当該延出部２１の基端２１aとの境界Ｙが常に折り曲げ位置となり、予めこの位置に折り癖をつけて延出部２１を起立させておくことができるため、折り癖をつけ直す必要がないばかりか、表紙１１を降下させて開口１１aが紙葉類Ｐの表面近くに位置するまでその内部に延出部２１を呑み込ませれば、その位置が綴じ足係止部４による綴じ足３の係止位置となり、背表紙１３となる延出部２１の表出量も同時に定まる。このため、延出部２１がたるむ不具合等も防止でき、１回の操作で的確に綴じ込み作業を完了することができる。
【００２０】
特に、両表紙１１、１２の綴じ元側の内側に折り込んだ位置に綴じ片２を形成し、両綴じ片２間に紙葉類Ｐを綴じ込むように構成して、延出部２１を設けた側の表紙１２の綴じ片２に綴じ足３を配し、袋状にした側の表紙１１の綴じ片２に綴じ足係止部４を配するようにしており、特に綴じ足係止部４を綴じ片２に固定しているため、袋状をなす表紙１１の開口１１aに、綴じ足３が設けられた側の表紙１２に付帯する延出部２１を呑み込ませていく操作は、同時に開口１１a付近に存する綴じ片２を紙葉類Ｐに表面に接近させる操作となり（図３参照）、その間に綴じ足３が自ずと袋状の表紙１１の綴じ片２や綴じ足係止部４に挿通されるため、綴じ片２が紙葉類Ｐに衝き当たった位置は概ね延出部２１の開口１１aへの最大呑み込み量となり、その位置で綴じ足係止部４により紙葉類Ｐを止めると、背表紙１３となる延出部２１の表出量も的確に定まるものとなる。すなわち、背表紙１３となる延出部２１をたるませることなく、紙葉類Ｐの綴じ込みを緊密に行うことができ、外観も良好な綴じ込み状態を実現することができることになり、紙葉類Ｐを安定して収容し、ファイル全体の型崩れも生じ難いものになる。
【００２１】
また、延出部２１を設けた側の表紙１２が裏表紙であり、袋状にした側の表紙１１が表表紙であるため、表表紙１１を開いて紙葉類Ｐの加除を行う通常のファイルに特に適したものとなり得る。
【００２２】
なお、各部の具体的な構成は、上述した実施形態のみに限定されるものではなく、本発明の趣旨を逸脱しない範囲で種々変形が可能である。
【００２３】
例えば、上記実施形態では、延出部２１を設けた側の表紙１２を裏表紙とし、袋状にした側の表紙１１を表表紙として用いたが、例えば逐次新しい内容をファイルの後ろに加えていくような態様で利用されるファイルにおいては、延出部２１を設けた側の表紙を表表紙とし、袋状にした側の表紙を裏表紙として用いることも有効となる。
【図面の簡単な説明】
【００２４】
【図１】本発明の一実施形態を分解状態で示す斜視図。
【図２】同実施形態を組立て状態で示す斜視図。
【図３】同実施形態の取り扱い手順を説明するための模式的な端面図。
【図４】従来例を分解状態で示す斜視図。
【図５】同従来例を組立て状態で示す斜視図。
【図６】同従来例の取り扱い手順を説明するための模式的な端面図。
【符号の説明】
【００２５】
１１…表表紙
１１a…開口
１２…裏表紙
１３…背表紙
２…綴じ片
２１…延出部
２２…挿通孔
３…綴じ足
４…綴じ足係止部
Ｐ…紙葉類
【図１】
2004262249.tif 000003
【図２】
2004262249.tif 000004
【図３】
2004262249.tif 000005
【図４】
2004262249.tif 000006
【図５】
2004262249.tif 000007
【図６】
2004262249.tif 000008